(57)【特許請求の範囲】
【請求項１】
遮断器を保持し得るように形成され、保持した該遮断器の一方の端子に接続される第１の端子部及び他方の端子に接続される第２の端子部を有する支持部材と、上記第１及び第２の端子部の一方と分岐導体を介して接続された母線と、上記第１及び第２の端子部の他方に一端が接続され計器用変流器を通って伸びる導体の他端に接続された外線ケーブル接続端子とを筺体の内部に備え、基本ユニットは外線ケーブルを前記筺体の下部から引出す場合は前記筺体の内部に上から順に、前記母線、前記支持部材、前記計器用変流器、前記外線ケーブル接続端子の順に配設し、前記外線ケーブルを前記筺体の天井部から引出す場合は前記筺体の上から順に、前記外線ケーブル接続端子、前記計器用変流器、前記支持部材、前記母線の順に配設されたことを特徴とする金属閉鎖形スイッチギヤ。
【請求項２】
上記筺体の内部における上から下に、または下から上に、上記母線、上記支持部材、上記計器用変流器、及び上記外線ケーブル接続端子の順番に配設された、前面操作・前面保守方式の基本ユニットをベースにして、複数回路を構成する際に上記母線の上下方向の位置を基準に列盤し、または上記母線を共通の母線として上下方向に積層するようにしたことを特徴とする請求項１に記載の金属閉鎖形スイッチギヤ。
【請求項３】
上記母線、上記支持部材、上記外線ケーブル接続端子、及び上記外線ケーブル接続端子に接続される外線ケーブルを通す零相変流器を備えた１回路分の機能要素を、上記筺体の内部に横並びで複数回路分備えたことを特徴とする請求項１または請求項２に記載の金属閉鎖形スイッチギヤ。
【請求項４】
上記母線が上部に設置された上記基本ユニットの上部に、第２の回路に用いる第２の遮断器を保持する第２の支持部材、及び第２の外線ケーブル接続端子を、上記基本ユニットの上記母線に対して対称的に配設してなることを特徴とする請求項２に記載の金属閉鎖形スイッチギヤ。
【請求項５】
第２の遮断器を保持し得るように形成され、保持した該第２の遮断器の一方の端子に接続される第３の端子部及び他方の端子に接続される第４の端子部を有する第２の支持部材を収容した箱体を、上記基本ユニットの上記支持部材の上方部または下方部に、上記母線を間に挟む如く配設すると共に、上記筺体の背面部または側面部にケーブルボックスを設け、このケーブルボックスに上記第３及び第４の端子部の一方に接続された第２の外線ケーブル接続端子を収容したことを特徴とする請求項２に記載の金属閉鎖形スイッチギヤ。
【発明の詳細な説明】
【技術分野】
【０００１】
本発明は金属閉鎖形スイッチギヤに係り、特に据付スペースや要求仕様に合わせて、柔軟に対応できるようにした金属閉鎖形スイッチギヤに関する。
【背景技術】
【０００２】
金属閉鎖形スイッチギヤは、筺体内部に遮断器、母線、計器用変流器、外線ケーブル等の電気機器が収納され、母線から遮断器、計器用変流器、外線ケーブルを介して負荷に電力を供給する。このような金属閉鎖形スイッチギヤの従来の技術として、遮断器、計器用変流器などの電気機器をそれぞれ個別のコンパートメント内に収納し、母線を共通ユニット内に設けたうえで個別のコンパートメントと共通ユニットとを接離可能に取り付けることで、個々の機器の変更に対する自由度をもたせるようにしたものがある（例えば特許文献１参照）。
【先行技術文献】
【特許文献】
【０００３】
【特許文献１】特開平５−２２７６１５号公報（第１頁、図１）
【発明の概要】
【発明が解決しようとする課題】
【０００４】
上記のような従来の技術においては、各機器が個別のコンパートメント内に収納され、母線が共通ユニット内に設けられていることにより、例えば遮断器が上下２段積の回路の場合、従来１本の母線に対して遮断器が２台接続されていたが、この構造では母線が２本必要となる。また、下段側の遮断器に接続される外線ケーブルは、配電盤の床面から引出され（下引出し）、上段側の遮断器に接続される外線ケーブルは、配電盤の天井から引出されている（上引出し）。天井から引出すことしかできない場合、下段側の遮断器に接続するには非常に困難である。また、床面から引出すことしかできない場合、上段側の遮断器に接続するには配電盤の後面側から大きく外線ケーブルを引き回す必要があり、据付面積以外のスペースが必要となる。更に、遮断器の後部側に母線が配置されているため、隣同士の配電盤の母線を接続する際に遮断器を引出して母線接続を行う必要がある。また、電気室によっては奥行き寸法の縮小化を要求される場合があり、遮断器の後側に母線が配置される構造では、配電盤の奥行寸法を縮小化することが困難であるなどの課題があった。
【０００５】
この発明は上記のような従来技術の課題を解消するためになされたもので、外線ケーブルの引出し（引込み）位置を上下間で変更する場合、及び遮断器を上下２段積とした場合の母線との取り合いに柔軟に対応でき、しかも前面操作・前面保守、前面操作・後面保守にも容易に対応できる金属閉鎖形スイッチギヤを得ることを目的としている。
【課題を解決するための手段】
【０００６】
この発明に係る金属閉鎖形スイッチギヤは、遮断器を保持し得るように形成され、保持した該遮断器の一方の端子に接続される第１の端子部及び他方の端子に接続される第２の端子部を有する支持部材と、上記第１及び第２の端子部の一方と分岐導体を介して接続された母線と、上記第１及び第２の端子部の他方に一端が接続され計器用変流器を通って伸びる導体の他端に接続された外線ケーブル接続端子とを筺体の内部に備え、基本ユニットは外線ケーブルを前記筺体の下部から引出す場合は前記筺体の内部に上から順に、前記母線、前記支持部材、前記計器用変流器、前記外線ケーブル接続端子の順に配設し、前記外線ケーブルを前記筺体の天井部から引出す場合は前記筺体の上から順に、前記外線ケーブル接続端子、前記計器用変流器、前記支持部材、前記母線の順に配設されたものである。
【発明の効果】
【０００７】
この発明においては、基本ユニットは前記外線ケーブルを前記筺体の下部から引出す場合は前記筺体の内部に上から順に、前記母線、前記支持部材、前記計器用変流器、前記外線ケーブル接続端子の順に配設し、前記外線ケーブルを前記筺体の天井部から引出す場合は前記筺体の上から順に、前記外線ケーブル接続端子、前記計器用変流器、前記支持部材、前記母線の順に配設されているので、基本ユニットはスイッチギヤとしての基本機能を備えたもので、外線ケーブルの引出位置が上下何れの場合も容易に対応でき、更に前面操作・前面保守タイプ、前面操作・後面保守タイプともに構成することができて、部品の共用化を図ることが可能である。
【図面の簡単な説明】
【０００８】
【図１】この発明の実施の形態１に係る金属閉鎖形スイッチギヤの基本ユニットを概略的に示す図であり、（ａ）は正面図、（ｂ）は側面図。
【図２】図１の基本ユニットの配置を上下方向に変更して外線ケーブルを上引出とした場合を概略的に示す図であり、（ａ）は正面図、（ｂ）は側面図。
【図３】図１の基本ユニットを用い、２回路構成で、前面操作・後面保守タイプとした場合を概略的に示す図であり、（ａ）は正面図、（ｂ）は側面図。
【図４】図３に示す金属閉鎖形スイッチギヤに仕切りを設けた場合の仕切り位置を示す図であり、（ａ）は正面図、（ｂ）は側面図。
【図５】図２の基本ユニットを用い、２回路構成で、前面操作・後面保守タイプとした場合を概略的に示す図であり、（ａ）は正面図、（ｂ）は側面図。
【図６】この発明の実施の形態２に係る金属閉鎖形スイッチギヤを概略的に示す図であり、（ａ）は正面図、（ｂ）は側面図。図１の基本機能ユニットを用い、２回路構成で、前面操作・前面保守タイプとした場合である。
【図７】図６に示す金属閉鎖形スイッチギヤに仕切りを設けた場合の仕切り位置を示す図であり、（ａ）は正面図、（ｂ）は側面図。
【図８】図６に示す金属閉鎖形スイッチギヤの配置を上下方向に変更して外線ケーブルを上引出しとした場合を概略的に示す図であり、（ａ）は正面図、（ｂ）は側面図。
【図９】この発明の実施の形態３に係る金属閉鎖形スイッチギヤを概略的に示す図であり、（ａ）は正面図、（ｂ）は側面図。図１の基本ユニットを左右横並びの２回路構成で、前面操作・前面保守タイプとした場合である。
【図１０】図９に示す金属閉鎖形スイッチギヤの配置を上下方向に変更して外線ケーブルを上引出しとした場合を概略的に示す図であり、（ａ）は正面図、（ｂ）は側面図。
【図１１】この発明の実施の形態４に係る金属閉鎖形スイッチギヤを概略的に示す図であり、（ａ）は正面図、（ｂ）は側面図。図１に示す基本ユニットの母線を共通に用い、該母線を中央に上下対称的に重ねた構造としたものである。
【図１２】この発明の実施の形態５に係る金属閉鎖形スイッチギヤを概略的に示す正面図。
【発明を実施するための形態】
【０００９】
実施の形態１．
図１〜図５はこの発明の実施の形態１に係る金属閉鎖形スイッチギヤの要部を概略的に説明する図である。なお、図１は外線ケーブルを筺体の下側から引出すようにした場合の金属閉鎖形スイッチギヤの基本ユニットを示している。図１において、金属閉鎖形スイッチギヤの基本ユニット１００は、前面扉１ａを有する筺体１と、図示省略している３相分の遮断器を収納し、該遮断器の一方の端子（ジャンクション）と接続される第１の端子部２ａ、他方の端子と接続される第２の端子部２ｂを有する支持部材２と、この支持部材２の上側に幅方向に配置された母線３と、母線３と第１の端子部２ａを接続する分岐導体４と、支持部材２の下側に設置された計器用変流器５と、第２の端子部２ｂに一端が接続され計器用変流器５を通って伸びる導体６の他端に接続された外線ケーブル接続端子７と、この外線ケーブル接続端子７に接続された外線ケーブル８を挿通するように設けられた零相変流器９を備えている。
【００１０】
なお、各図を通じて同一または相当部分・部材については同一符号を付している。また、各正面図（ａ）は、前面扉１ａ及び仕切壁を除いた要部構成のみを示し、側面図（ｂ）においては計器用変流器５と零相変流器９の図示を省略している場合がある。上記第１の端子部２ａは支持部材２の上段側に水平方向に所定間隔で３相分設けられ、第２の端子部２ｂは第１の端子部２ａの下側に同様に水平方向に所定間隔で３相分設けられている。図示省略している遮断器としては、例えば引出形の真空遮断器などが好ましく用いられるが、他の動作原理による遮断器でも良い。計器用変流器５は図１ではＲ、Ｔ相に配置した例を示している。また、外線ケーブル８はＲＳＴ相の３本が束ねられたところで零相変流器９を貫通し、筺体１の下部から引出す（引込む）ように設置される。また、外線ケーブル８は正面側から接続できるように配置される。なお、零相変流器９の設置位置は図示のものに限定されるものではなく、ＲＳＴ相の合成電流が測定できる位置であれば任意の位置に設置できる。
【００１１】
また、後述する図２のように、母線３が支持部材２の下側に配設されるときには、第２の端子部２ｂが母線３に接続される。上記の他、従来のものと同様に筺体１内には制御装置等が設置され、正面扉１ａには電子リレー類等が搭載され（何れも図示省略）、遮断器の開閉操作を行うことができる。基本ユニット１００は上記のように母線３から遮断器、計器用変流器５を経て、外線ケーブル８に繋がる通電回路が構成されたスイッチギヤとしての基本機能を備えたもので、この基本ユニット１００単独で金属閉鎖形スイッチギヤを構成することができる。そして、遮断器への操作、及び母線３や外線ケーブル８の接続作業や保守作業なども筺体１の前面側から実施することができる。
【００１２】
上記筺体１の内部に配設された上から順に、母線３、支持部材２、計器用変流器５、外線ケーブル接続端子７、及び零相変流器９を備えた基本ユニット１００は、筺体１の内部におけるこれらの各構成部材の位置を上下に変更可能に固定されている。図２は、外線ケーブル８を筺体１の天井部から引出す場合に適合するように構成した例を示している。この場合、筺体１の上から順に、零相変流器９、外線ケーブル接続端子７、計器用変流器５、支持部材２、及び母線３の順に配設される。このように、単体で金属閉鎖形スイッチギヤとしての機能を備えた基本ユニット１００は、外線ケーブル８の引出位置が、上下何れの場合も容易に対応できるように構成されている。
【００１３】
図３は上記図１の基本ユニット１００を用い、２回路構成で、前面操作・後面保守タイプとした場合を示している。図３において、金属閉鎖形スイッチギヤ２００は、図１に示したものと同様に配置された第１の回路に用いる基本ユニット１００に対して、その上部に固定された第２の回路側の第２の支持部材２Ａを収納した箱体１０と、筺体１、１０の後面側に固定された、基本ユニット１００の筺体１と箱体１０を足し合わせた総高さと同等の高さを有するケーブルボックス１１と、このケーブルボックス１１内の上部に設けられた第２の回路側の計器用変流器５Ａと、外線ケーブル接続端子７Ａと、零相変流器９Ａと、支持部材２Ａの上段側の第３の端子部２Ａａから計器用変流器５Ａを経て外線ケーブル接続端子７Ａに接続された導体６Ａと、第２の支持部材２Ａの下段側の第４の端子部２Ａｂを基本ユニット１００内に設けられた共通の母線３と接続する分岐導体４Ａを付加することで構成されている。
【００１４】
なお、外線ケーブル接続端子７Ａに接続される第２の回路の外線ケーブル８Ａは、第１の回路と同様にＲＳＴ相の３本を束ねられたところで零相変流器９Ａを貫通する。また、第２の支持部材２Ａには、基本ユニット１００に用いられたものと同様の図示省略している遮断器が収容される。また、図４の太線で示すように、図３のように構成された金属閉鎖形スイッチギヤ２００に、例えば母線室Ａ、遮断器室Ｂ、ケーブル室Ｃの３つのコンパートメント間に仕切り１２を設けることも可能である。さらに、図５に示すように、図３の構成部材を上下逆に配設することで、一方の回路の外線ケーブル８を筺体１の天井部から、他方の回路の外線ケーブル８Ａをケーブルボックス１１の天井部から引出すように構成することもできる。
【００１５】
上記のように、実施の形態１によれば、図１に示す一回路分のスイッチギヤを構成する基本ユニット１００は、筺体１の内部に設置された上から順に、母線３、支持部材２、計器用変流器５、外線ケーブル接続端子７、及び零相変流器９の設置位置を上下に変更可能に固定されているので、外線ケーブル８の引出位置が、筺体１の上下何れの場合にも容易に対応できる。また、前面操作・前面保守を保持できるので奥行き方向のスペースが小さい場合にも対応できる。
【００１６】
また、機能構成、即ち母線３、遮断器、計器用変流器６、零相変流器９をつなぐ一回路分の構成部材を変えることなく、図３に示すようにその上段に第２の回路側の遮断器を取り付ける第２の支持部材２Ａを収納した箱体１０を設置し、その後面側に第２の回路側のケーブルボックス１１を固定する。そのケーブルボックス１１に向かって、片側の端子２Ａａから水平に導体６Ａを伸ばし、計器用変流器５Ａを経て、外線ケーブル接続部７Ａに接続することで、前面操作・前後面保守の遮断器２段積み構成を実現することができる。これにより、後面側に接続される外線ケーブル８Ａは２回路中の１回路のみであるため、ケーブルボックス１１の奥行き寸法の縮小化が可能であり、スイッチギヤ全体の奥行き寸法の縮小化を図ることができる。さらに、図５に示すように、２つの回路の外線ケーブル８、８Ａの双方を上方から引出すように変更することも容易である。
【００１７】
また、各コンパートメント間に仕切り１２（図４）を設けることで、外線ケーブル８、８Ａ相互の間も仕切られるため、例えば片側の回路を停電することなく、もう片側の外線ケーブルの張替えやメンテナンス作業を実施することができる。また、基本ユニット１００においては、外線ケーブル８の上下の引出位置にかかわらず常に第１、第２の端子部２ａ（２Ａａ）、２ｂ（２Ｂｂ）を有する支持部材２、２Ａの上下に隣り合う位置に母線３が配設されるので、分岐導体４の長さを短くできる。そして、同様に常に第１、第２の端子部２ａ（２Ａａ）、２ｂ（２Ｂｂ）を有する支持部材２、２Ａの近傍ないしは上下に隣り合う位置に計器用変流器５が位置するように配設されるので、外線ケーブル接続端子７（７Ａ）に接続される導体６（６Ａ）の長さを最短にできる。また、無駄や資源の削減も期待できるので、環境負荷の低減にも繋がる。
【００１８】
実施の形態２．
図６は、この発明の実施の形態２に係る金属閉鎖形スイッチギヤを概略的に示す図であり、（ａ）は正面図、（ｂ）は側面図である。なお、実施の形態２は図１の基本ユニット１００を用い、２回路構成で、前面操作・前面保守タイプとした場合の例である。図において、金属閉鎖形スイッチギヤ２０１は、図１で示した基本ユニット１００の上部に、第２の回路側の第２の支持部材２Ａを収納した箱１３を固定する。第２の支持部材２Ａの下段側の第４の端子部２Ａｂを基本ユニット１００内に配設されている共通の母線３と分岐導体４Ａで接続する。更に側面側（図６（ａ）では正面から見て左側）には、基本ユニット１００の筺体１と箱１３を足し合わせた総高さと同等の高さを有するケーブルボックス１４を固定する。
【００１９】
そのケーブルボックス１４内に向かって、導体６Ａは支持部材２Ａの上段側の端子部２Ａａから支持部材２Ａの上部を通り、支持部材２Ａの略側面近傍のケーブルボックス１４に固定されている計器用変流器５Ａを経て外線ケーブル接続端子７Ａに接続される。なお、母線３は金属閉鎖形スイッチギヤ２０１を左右方向に列盤する場合に好都合なように、ケーブルボックス１４の奥側部にまで左右方向に伸びて設置されている。外線ケーブル接続端子７Ａに接続されている外線ケーブル８Ａは、３本を束ねられたところで上記母線３の前面側を通り、さらに零相変流器９Ａを貫通した後、ケーブルボックス１４の下方に引き出される。
【００２０】
なお、図６のように構成された金属閉鎖形スイッチギヤ２０１においても、例えば図７に示すように母線室Ａ、遮断器室Ｂ、ケーブル室Ｃの３つのコンパートメント間に仕切り１２を設けることが可能である。さらに、上記図６は外線ケーブル８、８Ａの引出し方向が図の下方向とした場合を示しているが、その逆に外線ケーブル８、８Ａを図の上方向に引出すように構成した場合を図８に示す。
【００２１】
上記のように構成された実施の形態２においては、図１で示す基本構成を変えることなく、その上段に配置した箱１３と側面側に配置したケーブルボックス１４を固定することで、遮断器２段積み構成を実現することができる。これにより、２回路分の外線ケーブル８、８Ａが金属閉鎖形スイッチギヤ２０１の前面側からアクセスすることができる構造であるので、スイッチギヤ全体の奥行き寸法を縮小化できると共に、後面側の保守スペースも不要となり、電気室に必要な据付・保守スペースを削減することができる。
【００２２】
また、図７に例示されるように各コンパートメント間に仕切り１２を設けることで、ケーブル室Ｃ部分も仕切られるため、前面操作、前面保守タイプの金属閉鎖形スイッチギヤであるが、例えば２回路の内の一方の回路を停電することなく、他方の外線ケーブルの張替えやメンテナンス作業を実施することができる。また、構成部材の上下方向の配置を変更することで、外線ケーブル８、８Ａは必要に応じて上下の何れからも引出すように構成できる。
【００２３】
実施の形態３．
図９、図１０はこの発明の実施の形態３に係る金属閉鎖形スイッチギヤを概略的に示す図であり、（ａ）は正面図、（ｂ）は側面図である。なお、この実施の形態３の金属閉鎖形スイッチギヤ２０２は、図１に示す基本ユニット１００の回路構成物を１つの大きい筺体１５の中に左右横並びの２回路構成で収容し、前面操作・前面保守タイプとした場合である。図９において、幅が図１の筺体１の略２倍弱の大きさの筺体１５内の上部には、３相分の共通の母線３が左右方向に延在するように設けられている。母線３の下部には支持部材２、２Ａ、計器用変流器５、５Ａ、外線ケーブル接続端子７、７Ａ、及び零相変流器９、９Ａが並設されている。
【００２４】
なお、図９は外線ケーブルの引出し方向が筺体１５の下部の場合を示しているが、各部材の筺体１５に対する固定を予め上下方向に変更可能に構成されていることで、図１０に示すように筺体１５の上部から外線ケーブル８、８Ａを引出すように構成することも容易である。また、母線３と第１の端子部２ａ、２Ａａとの接続、第２の端子部２ｂ、２Ａｂと外線ケーブル接続端子７、７Ａとの接続等、その他の構成は実施の形態１と同様であるので説明を省略する。
【００２５】
上記のように構成された実施の形態３においては、図１に示す基本構造を変えることなく、左右横並びに配置することで、前面操作・前面保守方式で、遮断器２回路構成を実現することができる。これにより、スイッチギヤ全体の奥行き寸法の縮小化及び電気室に必要な据付・保守スペースを削減することができると共に、高さも縮小化することができる。また、実施の形態１、２で例示したように、各コンパートメント間に仕切り１２（図４、図７）を設けることも容易であり、該仕切り１２を設けることで、一方の回路を停電することなく、他方の外線ケーブルの張替えやメンテナンス作業を実施することができる。
【００２６】
実施の形態４．
図１１はこの発明の実施の形態４に係る金属閉鎖形スイッチギヤを概略的に示す図であり、（ａ）は正面図、（ｂ）は側面図である。なお、実施の形態４は図１に示す基本ユニットの母線を共通に用い、該母線を中央に上下対称的に重ね２回路分を収納した構造としたものである。図において、金属閉鎖形スイッチギヤ２０３は、図１に示した基本ユニット１００の上部に、図２に示されたユニットから母線３を除いたものに相当するユニットが固定されている。なお、基本ユニット１００の上部に設置された第２の回路の増設筺体１６は筺体１と同一サイズのものを共通に用いても良いし、別に用意し、あるいは筺体１のサイズを予め容易に短くできるように構成しても良い。また、上側の支持部材２Ａの端子部２Ａｂと母線３とは分岐導体４Ａで接続される。
【００２７】
上記のように構成された実施の形態４においては、図１で示す基本構造を変えることなく、上下に重ねることで２回路の外線ケーブル８、８Ａの引出し方向が上方と下方に分かれるようになる場合に、金属閉鎖形スイッチギヤ２０３の幅や奥行き方向を縮小化することができる。また、実施の形態１、２と同様に各コンパートメント間に仕切りを設けることで、片側の回路を停電することなく、もう片側の外線ケーブルの張替えやメンテナンス作業を実施することもできる。
【００２８】
実施の形態５．
図１２はこの発明の実施の形態５に係る金属閉鎖形スイッチギヤを概略的に示す正面図である。なお、この実施の形態５は、上記実施の形態１〜４に示されたスイッチギヤを組み合わせることで構成された多回路（９回路）構成の金属閉鎖形スイッチギヤ２０４を示している。図において、Ｏは実施の形態１の図１に示した基本ユニット１００、Ｉは同じく実施の形態１の図３に示したスイッチギヤ、ＩＩは実施の形態２の図６に示したスイッチギヤ、ＩＩＩは実施の形態３の図９に示したスイッチギヤ、ＩＶは実施の形態４の図１１に示したスイッチギヤを示している。
【００２９】
上記のように構成された実施の形態５においては、基本ユニット１００を基本機能構造としているため、図に示すように母線３の鉛直方向の位置を全て同じ位置に統一することができる。従って、列盤された筺体の母線３が水平方向に直線的につながるように並べることができる。スイッチギヤを設置する建物によっては、電気室の形が例えばＬ字になっていたり、壁から柱がでていたり、天井の梁やダクトなどがあることで、電気設備を据え付けることができるスペースが制限される。そのような際にも実施の形態５のように、基本構造を変えないことで、様々な対応が可能となり、その電気室に最適な受配電設備である金属閉鎖形スイッチギヤを製作できる。なお、多回路構成とする場合、上記例示した基本ユニット１００、あるいは金属閉鎖形スイッチギヤ２００、２０１、２０２、２０３の何れか一つを複数横並びに列盤するなど、種々の組合せができることは言うまでもない。
【符号の説明】
【００３０】
１  筺体、  １a  前面扉、  ２  支持部材、  ２ａ  第１の端子部、  ２ｂ  第２の端子部、  ２Ａ  第２の支持部材、  ２Ａａ  第３の端子部、  ２Ａｂ  第４の端子部、  ３  母線、  ４、４Ａ  分岐導体、  ５、５Ａ  計器用変流器、  ６、６Ａ  導体、  ７、７Ａ  外線ケーブル接続端子、  ８、８Ａ  外線ケーブル、  ９、９Ａ  零相変流器、  １０  箱体、  １１  ケーブルボックス、  １２  仕切り、  １３  箱、  １４  ケーブルボックス、  １５  筺体、  １６  増設筺体、  １００  基本ユニット、  ２００、２０１、２０２、２０３、２０４  金属閉鎖形スイッチギヤ。
【図１】
0005618652.tif 000002
【図２】
0005618652.tif 000003
【図３】
0005618652.tif 000004
【図４】
0005618652.tif 000005
【図５】
0005618652.tif 000006
【図６】
0005618652.tif 000007
【図７】
0005618652.tif 000008
【図８】
0005618652.tif 000009
【図９】
0005618652.tif 000010
【図１０】
0005618652.tif 000011
【図１１】
0005618652.tif 000012
【図１２】
0005618652.tif 000013